(57)【要約】【課題】後突に係るエネルギーを効率よく集中させて変形吸収するためのエネルギー吸収部を有するシートフレームを提供する。【解決手段】左右に間隔をあけて対向配置された板状部材から成る１対のサイドフレームから成るシートクッションフレームと、１対のサイドフレームの各々の後部に連結されたシートバックフレームとから成り、１対のサイドフレームのうち少なくとも一方のサイドフレームが、その後端部の一部から前方に伸張するエネルギー吸収部を有し、該エネルギー吸収部が、対向するサイドフレームに向かって、又はその反対側に向かって板状部材の一部が凹んだ凹部から成り、凹部の周縁が、一方のサイドフレームの後端部上の上端と該上端の下方に位置する後端部上の下端との間に伸張する後縁と、上端から凹部の前端へ伸張する上縁と、下端から前端へ伸張する下縁とにより画成されるシートフレーム。【選択図】図５
2013132917.tif 000002
【特許請求の範囲】
【請求項１】
シートクッションを取り付けるための、左右に間隔をあけて対向配置された板状部材から成る１対のサイドフレームから成るシートクッションフレームと、シートバックを取り付けるための、前記１対のサイドフレームの各々の後部に連結されたシートバックフレームとから成るシートフレームであって、
前記１対のサイドフレームのうち少なくとも一方のサイドフレームが、その後端部の一部から前方に伸張するエネルギー吸収部を有し、
前記エネルギー吸収部が、対向するサイドフレームに向かって、又はその反対側に向かって前記板状部材の一部が凹んだ凹部から成り、
前記凹部の周縁が、前記後端部上の上端と該上端の下方に位置する前記後端部上の下端との間に伸張する後縁と、前記上端から前記凹部の前端へ伸張する上縁と、前記下端から前記前端へ伸張する下縁とにより画成される、
ことを特徴とするシートフレーム。
【請求項２】
前記凹部の縦断面の面積が、前記前端から前記後端部に向かって段々大きくなる、
ことを特徴とする請求項１に記載されたシートフレーム。
【請求項３】
前記凹部が、前記前端から前記後縁上の後端に伸張する凹部の稜線を有する、
ことを特徴とする請求項１又は２に記載されたシートフレーム。
【請求項４】
前記１対のサイドフレームの両方が、各々が対向するサイドフレームに向かって、又は各々がその反対側に向かって前記板状部材の一部が凹んだ凹部から成る前記エネルギー吸収部を有する、
ことを特徴とする請求項１ないし３のいずれかに記載されたシートフレーム。
【請求項５】
前記シートバックフレームが左右に間隔をあけて対向配置された１対のサイドプレートを含み、該１対のサイドプレートと前記１対のサイドフレームとをリクライニング機構を介して連結することにより前記シートバックフレームが前記１対のサイドフレームの各々の後部に連結され、
前記エネルギー吸収部が、前記リクライニング機構の下方に位置する、
ことを特徴とする請求項１ないし４のいずれかに記載されたシートフレーム。
【発明の詳細な説明】
【技術分野】
【０００１】
本発明は、乗り物用のシートの骨格であるシートフレームに関し、特に、後方からの衝撃に対し安全性を有するシートフレームに関する。
【背景技術】
【０００２】
自動車などの乗り物に据え付けられているシートに係る従来のシートフレーム１０が図１に示されている。図示のように、シートフレーム１０は、シートクッション（図示せず）を取り付けるためのシートクッションフレーム２０と、シートバック（図示せず）を取り付けるためのシートバックフレーム４０とから成る。
【０００３】
シートクッションフレーム２０は、概して、左右方向に間隔をあけ、対向して配置されたサイドブラケット２１、２２を有する。これらサイドブラケット２１、２２は互いに連結部材等２５、２６により連結され、公知のスライド機構Ｓ１、Ｓ２に取り付けられる。サイドブラケット２１、２２の後部にロアアーム２３、２４が連結金具２７、２８により連結されている。アッパアーム３２、３３が、公知のリクライニング機構３０、３１を介してロアアーム２３、２４に対して枢動可能に連結される。
【０００４】
シートバックフレーム４０は、アッパアーム３２、３３を介してシートクッションフレーム２０に取り付けられる左右一対のサイドプレート４１、４２と、これらの頂部に連結された逆Ｕ字形のシートバックメインフレーム４３とを有する。シートバックメインフレーム４３には、ヘッドレスト（図示せず）のステーを挿入して取り付けるための取り付け部４４、４５が設けられている。
【０００５】
図２に、従来のシートフレーム１０のシートクッションフレーム２０とシートバックフレーム４０とが連結された状態が示されている。
【０００６】
図３に、シートフレーム１０の一部を側面から見た図が示されている。シートフレーム１０を骨格に有するシートを備えた車両に、後ろから追突（以下、後突という）等を受けることにより、後方から大きな衝撃が作用すると、図示のように、シートバックフレーム４０に後方への力Ｆが生じ、シートバックフレーム４０の下方の固定端を中心とした曲げモーメントＭが生じる。大きな曲げモーメントＭによっては、アッパアーム３２とロアアーム２３とを連結するリクライニング機構３０やロアアーム２３とサイドブラケット２１とを連結するカシメ等の連結金具２７が破壊されることが考えられる。
【０００７】
また、近年は、自動車の分野で、電気自動車（ＥＶ）やプラグインハイブリッド車（ＰＨＥＶ）等の環境車のニーズが増大し、従来のガソリン車でも低燃費であることが求められ、このため自動車用部材は、より軽量化することが求められている。リクライニング機構等の連結部材も、軽量化、小型化され、そのために、後突により大きな曲げモーメントが作用した場合、リクライニング機構等の連結部材が破壊されかねない。
【０００８】
リクライニング機構３０又は連結金具２７が破壊、破断すると、シートバックフレーム４０が後方へ倒れ込む恐れがある。これを防ぐために、リクライニング機構３０やサイドブラケット２１の剛性を高めると、軽量化が図れない。このため、乗り物用シートのフレーム構造において、軽量化を実現しながら、安全性を向上することが求められている。
【０００９】
後突時の安全性を確保するために、従来、特開２００９−１５４６９３公報（特許文献１）に記載されているような、衝突のエネルギーを吸収するシートフレームが提案された。特許文献１に記載された車両用シートのクッションフレームは、ビード部（凹み部）を有するロアアームから成る。このロアアームの周縁の後ろ側に、側方から見て略くの字状である曲がり点が形成され、ロアアームの内面もしくは外面に、曲がり点を基点とした上側の縁を有するビード部が形成されている。これらの構成により、シートバックフレームが後ろ側に向かって大きな力を受け、リクライニング機構に曲げモーメントが作用したとき、ロアアームの後ろ側が上下方向に圧縮されて衝突のエネルギーを吸収する。
【先行技術文献】
【特許文献】
【００１０】
【特許文献１】２００９−１５４６９３公報
【発明の概要】
【発明が解決しようとする課題】
【００１１】
上記従来のロアアームでは、エネルギー吸収部がロアアームの周縁に対して凹み状に形成されているため、該凹み状の曲がり点を中心にロアアームの後ろ側が上下方向に圧縮される際、ロアアーム自体が断面くの字状に折れ曲がる格好になった。つまり、後突により生じたエネルギーが、必ずしもエネルギー吸収部に集中されず、ロアアームのエネルギー吸収部以外の部分に分散されるものであった。このように、従来提案されたロアアームは、エネルギー吸収部にエネルギーが十分集中しないために、後突に係るエネルギーを効率的に吸収することができないという問題があった。
【００１２】
上記の問題に鑑みて、本発明は、効率的に衝突のエネルギーを集中させて吸収するエネルギー吸収部を有する、後突に対して安全な乗り物用シートのためのシートフレームを提供することを目的とする。
【００１３】
また、本発明の目的は、構成する部材の軽量化を実現しながら、後突に対して安全性を有する乗り物用シートのためのシートフレームを提供することである。
【００１４】
さらに、本発明の他の目的は、後突時のシートフレームの変形により、乗員を確実に保持できる乗り物用シートのためのシートフレームを提供することである。
【課題を解決するための手段】
【００１５】
上記の目的を達成する本発明のシートフレームは、シートクッションを取り付けるための、左右に間隔をあけて対向配置された板状部材から成る１対のサイドフレームから成るシートクッションフレームと、シートバックを取り付けるための、１対のサイドフレームの各々の後部に連結されたシートバックフレームとから成り、１対のサイドフレームのうち少なくとも一方のサイドフレームが、その後端部の一部から前方に伸張するエネルギー吸収部を有し、該エネルギー吸収部が、対向するサイドフレームに向かって、又はその反対側に向かって板状部材の一部が凹んだ凹部から成り、凹部の周縁が、一方のサイドフレームの後端部上の上端と該上端の下方に位置する後端部上の下端との間に伸張する後縁と、上端から凹部の前端へ伸張する上縁と、下端から前端へ伸張する下縁とにより画成される、ことを特徴とする。
【００１６】
上記のように、本発明に係るシートフレームは、板状部材から成るサイドフレームの後端部の一部から前方にかけての部分が対向するサイドフレームに向かって、又はその反対側に向かって凹んで成るエネルギー吸収部を有する。該凹部の周縁が、各々前端を含む上縁及び下縁と、後縁により画成されるため、後突の際のエネルギーをエネルギー吸収部の前端で止め、エネルギー吸収部に集中させることができる。
【００１７】
また、本発明に係るシートフレームは、エネルギー吸収部の凹部の縦断面の面積が、前端からサイドフレームの後端部に向かって段々大きくなる、ことを特徴とする。凹部の縦断面の面積が、前端からサイドフレームの後端部（エネルギー吸収部の後縁）に向かって段々大きくなることにより、エネルギー吸収部の変形がスムースになり、集中した後突に係るエネルギーをエネルギー吸収部において効率的に吸収することができる。
【００１８】
さらに、本発明に係るシートフレームは、凹部が、前端から後縁上の後端に伸張する凹部の稜線を有する、ことを特徴とする。このように、エネルギー吸収部の凹部が凹部の稜線を有することにより、エネルギー吸収部の上下方向の変形と左右方向への変形を十分に整合させることができ、より効率的に後突に係るエネルギーを吸収することができる。
【００１９】
本発明に係るシートフレームは、１対のサイドフレームの両方が、各々が対向するサイドフレームに向かって、又は各々がその反対側に向かって板状部材の一部が凹んだ凹部から成るエネルギー吸収部を有する、ことを特徴とする。このように、左右のサイドフレームが有するエネルギー吸収部の凹部がいずれも、板状部材の一部が対向するサイドフレームに向かって凹んで成る凹部であることにより、又はその反対側に向かって凹んで成る凹部であることにより、左右のサイドフレームのエネルギー吸収部が変形する際に、サイドフレームがバランス良く上下方向に圧縮され、横方向の変位を生じることがない。
【００２０】
また、本発明に係るシートフレームは、シートバックフレームが左右に間隔をあけて対向配置された１対のサイドプレートを含み、該１対のサイドプレートと１対のサイドフレームとをリクライニング機構を介して連結することによりシートバックフレームが１対のサイドフレームの各々の後部に連結され、エネルギー吸収部が、前記リクライニング機構の下方に位置する、ことを特徴とする。このようにシートフレームを構成することにより、後突の際にリクライニング機構付近で作用する曲げモーメントの下方成分を確実に吸収することができ、また、シートバックフレームの変形がより下方で生じることにより、乗員の腰等に負担をかけることなく、安全に乗員を保持することができる。
【発明の効果】
【００２１】
本発明に係るシートフレームは、後突等によりシートバックに大きな後方荷重が生じ、シートバックフレームとシートクッションフレームとを連結する連結部材等に大きな曲げモーメントが作用したとき、シートクッションフレームのサイドフレームのエネルギー吸収部が集中的に変形し、効率的に曲げモーメントに係るエネルギーを吸収することができるため、本発明に係るシートフレームを実施することにより、サイドフレームの後部が上下方向に圧縮され、連結部材が破壊、破断されることがなく、乗員が上方に滑り上がることがない、より安全な乗り物用シートを得ることができる。
【００２２】
さらに、本発明に係るシートフレームは、シートバックフレームとシートクッションフレームとを連結する連結部材に作用する後突のエネルギーを集中させて効率よく吸収することができるため、軽量化された連結部材の破壊、破断を防ぐことができる。また、本発明に係るサイドフレームは、連結部材を介してシートバックフレームに連結可能であり、且つ既存のスライド機構等に取り付け可能であるため、少ない部材で十分な剛性を有するシートフレームを構成することができる。従って、本発明のシートフレームを実施することにより、後突に対する安全性を維持しながら、軽量化された乗り物用シートを得ることができる。
【００２３】
また、本発明に係るシートフレームでは、左右１対のサイドフレームが左右対称のエネルギー吸収部を有することにより、サイドフレームが上下方向にバランス良く圧縮変形し、横方向の変位を生じることがない。従って、本発明に係るシートフレームを実施することにより、より確実に乗員を保持することができる、安全な乗り物用シートを得ることができる。
【図面の簡単な説明】
【００２４】
【図１】図１はシートクッションフレームとシートバックフレームとから成る従来のシートフレームを示す分解斜視図である。
【図２】図２はシートクッションフレームとシートバックフレームとが連結された従来のシートフレームを示す斜視図である。
【図３】図３は従来のシートフレームの一部を示す側面図である。
【図４】図４は本発明に係るひとつの態様のシートフレームとスライド機構を示す前方からの分解斜視図である。
【図５】図５はスライド機構に連結された本発明に係るひとつの態様のシートフレームを示す前方からの斜視図である。
【図６】図６は本発明に係るひとつの態様のシートフレームの一部を示す側面図である。
【図７】図７は発明に係るひとつの態様のエネルギー吸収部を模式的に示す（ａ）部分断面図、及び（ｂ）部分側面図である。
【図８】図８は本発明に係るひとつの態様のサイドフレームを示す後方からの拡大端面図である。
【図９】図９はスライド機構に連結された本発明に係る他の態様のシートフレームを示す後方からの斜視図である。
【図１０】図１０は本発明に係る他の態様のシートフレームの一部を示す側面図である。
【図１１】図１１は本発明に係る他の態様のサイドフレームを示す後方からの拡大端面図である。
【発明を実施するための形態】
【００２５】
以下、本発明の特徴が、本発明の限定を意図するものではない好適実施例とともに説明される。なお、図面は説明の目的で単純化され、尺度も必ずしも一致しない。
【００２６】
図４に、本発明に係るひとつの態様のシートフレーム５０の分解図が示されている。シートフレーム５０は左右一対の板状部材から成るサイドフレーム６１、６２から成るシートクッションフレーム６０とシートバックフレーム７０とから成る。サイドフレーム６１、６２は各々、後端部から前方にかけて伸張するエネルギー吸収部ＥＡ１、ＥＡ２を有する。
【００２７】
サイドフレーム６１、６２は、板状部材から成る。本発明のひとつの態様にかかるエネルギー吸収部ＥＡ１、ＥＡ２は、上記のような板状部材の一部が、互いに対向するサイドフレームに向かって凹んだ凹部を有する。言い換えると、該凹部は、サイドフレーム６１、６２各々の、対向するサイドフレームに面した面の反対側の面（シートクッションフレームの外側の面）に形成されている。凹部の反対側に位置するサイドフレーム６１、６２各々の、対向するサイドフレームに面した面（シートクッションフレームの内側の面）は、凸部となっている。このようなエネルギー吸収部ＥＡ１、ＥＡ２は、好適に、プレス加工等により、サイドフレーム６１、６２の本体と一体的に成型される。
【００２８】
サイドフレーム６１、６２は、軽量化のために、従来のロアアーム及びサイドブラケット（図１等）の機能を兼ねる。すなわち、サイドフレーム６１、６２の後部にシートバックフレーム７０が連結され、また、サイドフレーム６１、６２は、既存のスライド機構（シートアジャスター）Ｓ３、Ｓ４の可動部であるアッパ部材９２、９３に取り付けられる。
【００２９】
上記のようなサイドフレーム６１、６２の構成により、シートクッションフレーム６０を軽量化することができる。
【００３０】
また、シートクッションフレーム６０が従来のようなロアアームとサイドブラケットとから成り、サイドブラケットにエネルギー吸収部を設けるようにしてもよい。
【００３１】
シートバックフレーム７０は、左右１対のサイドプレート７１、７２を有する。シートバックフレーム７０のサイドプレート７１、７２は、軽量化のために、従来のアッパアーム及びサイドプレート（図１等）の機能を兼ねる。シートバックメインフレーム７３、ヘッドレスト取り付け部７４、７５の構成は従来のシートバックフレーム１０（同）と同様である。
【００３２】
サイドプレート７１、７２は既存のリクライニング機構８０、８１を介してサイドフレーム６２、６１連結されている。リクライニング機構８０、８１により、サイドプレート７１、７２は、サイドフレーム６１、６２に対して傾斜可能である。
【００３３】
サイドプレート７１、７２は、リクライニング機構８０、８１に代えて、他の連結部材や溶接等によってサイドフレーム６１、６２に連結されてもよい。シートバックフレーム７０は、従来のようなアッパアームとサイドプレート（図１等）を含んで成ってもよい。また、シートバックフレーム７０がアッパアームやサイドプレートを有さず、シートバックメインフレーム７３の下端がサイドフレーム６１、６２と連結されるようにしてもよい。
【００３４】
図５に、スライド機構Ｓ３、Ｓ４に取り付けられた本発明のひとつの態様のシートフレーム５０が示されている。
【００３５】
図６に、シートフレーム５０の部分側面図が示されている。エネルギー吸収部ＥＡ１は、サイドフレーム６１とサイドプレート７１とを連結するリクライニング機構８０等連結部材の下方に位置するように構成される。このような構成により、エネルギー吸収部ＥＡ１が、曲げモーメントＭの下方成分を効率的に変形吸収できる。
【００３６】
エネルギー吸収部ＥＡ１の形状は、変形する方向性が十分に整合するように構成される。例えば、上下方向に潰れながら左右方向に広がるように、上下方向の変形と左右方向の変形が整合するものである。
【００３７】
図７に、エネルギー吸収部ＥＡ１を有するサイドフレーム６１の部分の断面図及び側面図が示されている。
【００３８】
図７（ｂ）に示されているように、サイドフレーム６１の対向するサイドフレーム６２（図４）の反対側（外側）の面１１０に形成されたエネルギー吸収部ＥＡ１の凹部の周縁は、サイドフレーム６１の後端部１２０上の上端１００と上端１００の下方に位置する後端部１２０上の下端１０２との間に伸張する後縁１０４と、前記上端１００から凹部の前端１０１へ伸張する上縁１０５と、下端１０２から前端１０１へ伸張する下縁１０６とにより画成される。凹部の前端１０１は、サイドフレーム６１の（シートクッションフレーム６０の）外側の面上にある。エネルギー吸収部ＥＡ１がこのような周縁を有することにより、後突に係るエネルギーを変形吸収する際に、前端１０１で変形を止めることができ、後突に係るエネルギーをエネルギー吸収部ＥＡ１に集中させることができる。
【００３９】
図示のように、面１１０に形成されたエネルギー吸収部ＥＡ１の凹部を側方から見ると、略三角形状を呈す。概して、面１１０の反対側の面１１１には、側方から見た形状が凹部と略同じ凸部が形成される。
【００４０】
図７（ａ）に、エネルギー吸収部ＥＡ１の縦断面が示されている。図示のように、エネルギー吸収部ＥＡ１の凹部の縦断面の面積は、前端１０１から後縁１０４へ向かうほど大きくなる。このように構成することで、エネルギー吸収部ＥＡ１が折り畳まれるようにして変形する際に、上下方向の変形と左右方向の変形を十分に整合させ得る。
【００４１】
また、凹部は、好適に、前端１０１から後縁１０４上の後端１０３に伸張する凹部の稜線１０７を有する。前端１０１から後縁１０４に連なるエネルギー吸収部ＥＡ１の凹部の縦断面において、対向するサイドフレームに向かって最も凹んでいる点を、前端１０１から後縁１０４までつないだものが、凹部の稜線１０７である。凹部の稜線１０７は、好適に、直線である。
【００４２】
エネルギー吸収部の変形のパターンに合わせて、凹部の稜線１０７を折れ曲がり線として設けることにより、エネルギー吸収部がより効率的にエネルギーを吸収することができる。
【００４３】
凹部において、凹部の表面１１２と上縁１０５から下縁１０６へ伸張する平面により画成される形状は、前端１０１を頭頂点とする三角錐状、又はその他の多角錐状であってよく、半円錐状であってもよい。
【００４４】
エネルギー吸収部ＥＡ１が折り畳まれるように潰れるとき、上縁１０５が前端１０１を中心として下方に移動する。このとき、凹部の表面１１２は対向するサイドフレームに向かってさらに凹む形になる。凹部の表面１１２が凹部の稜線１０７を有する場合は、該凹部の稜線１０７が前端１０１を中心としてより内側へ移動する。上縁１０５と凹部の稜線１０７の移動が整合するようにエネルギー吸収部を形成することにより、より効率的にエネルギーを変形吸収することができる。前端１０１は移動することがなく、後突に係るエネルギーをエネルギー吸収部ＥＡ１に留め、集中させることができる。後突に係るエネルギーがサイドプレート６１の本体に分散されることがないため、サイドプレート６１はエネルギー吸収部ＥＡ１の変形により上下方向に圧縮され、シートフレームの左右方向に折れ曲がることがない。
【００４５】
図８に、後方から見たサイドフレーム６１の拡大した端面が示されている。サイドフレーム６１に係るエネルギー吸収部ＥＡ１は、サイドフレーム６１を構成する板状部材の一部が対向するサイドフレームに向かって凹んで成る。サイドフレーム６１に対向するサイドフレーム６２の端面は、サイドフレーム６１の左右を反転させたものであるため省略されている。
【００４６】
エネルギー吸収部ＥＡ１の形状やサイドプレート６１における上下方向の位置、サイドプレート６１の本体の形状等は、適宜調整され得る。また、主に強度を向上させるため、サイドプレート６１の周縁は、好適に、図示のような、上端部や下端部の張り出し部（フランジ）を有する。サイドプレート６１の後端部もまた、フランジを有するが、エネルギー吸収部の後縁（図７（ｂ））を含む部分では、フランジを有さないか、または、フランジを有する場合は、変形を妨げないようにすることが好ましい。
【００４７】
図９に、本発明の他の態様に係るシートフレーム５０’が示されている。シートフレーム５０’は、他の態様のエネルギー吸収部ＥＡ３、ＥＡ４を有するものである。
【００４８】
すなわち、エネルギー吸収部ＥＡ３、ＥＡ４は、サイドフレーム６１’、６２’を構成する各々の板状部材の一部が、対向するサイドフレームの反対側に向かって凹んだ凹部を有する。言い換えると、該凹部は、サイドフレーム６１’、６２’各々の、対向するサイドフレーム側（内側）の面に形成されている。凹部の反対側に位置するサイドフレーム６１’、６２’各々の、対向するサイドフレーム側の反対側（外側）の面は、凸部となっている。
【００４９】
図１０に、シートフレーム５０’の部分側面図が示されている。後突により後方へ大きな力Ｆが加わったとき、サイドフレーム６１’のエネルギー吸収部ＥＡ３が後突のエネルギーを吸収しながら変形する。
【００５０】
図１１に、後方から見たサイドフレーム６１’の拡大した端面が示されている。
サイドフレーム６１’に係るエネルギー吸収部ＥＡ３は、サイドフレーム６１’を構成する板状部材の一部が対向するサイドフレームの反対側に向かって凹んで成る。対向するサイドフレーム６２’の端面は、サイドフレーム６１’の左右を反転させたものであるため省略されている。
【００５１】
上記の開示の範囲内であれば、本発明に係るエネルギー吸収部の形状、大きさ等は、サイドプレートを構成する板状部材の材料や強度、所望の変形パターン等によって、適宜調節されてよい。また、エネルギー吸収部の変形が、所定の後方荷重により開始するようにしてもよい。例えば、エネルギー吸収部の変形は、リクライニング機構等連結部材の強度に応じて、該リクライニング機構が破壊されるエネルギーの半分で開始するようにしてよい。
【００５２】
本発明の思想及び態様から離れることなく多くのさまざまな修正が可能であることは当業者の知るところである。したがって、言うまでもなく、本発明の態様は例示に過ぎず、本発明の範囲を限定するものではない。
【符号の説明】
【００５３】
１０            シートフレーム１
２０            シートクッションフレーム１
２１、２２      サイドブラケット
２３、２４      ロアアーム
２５、２６      連結部材（補強材）
２７、２８      連結金具
３０、３１      リクライニング機構１
３２、３３      アッパアーム
４０            シートバックフレーム１
４１、４２      サイドプレート１
４３            シートバックメインフレーム１
４４、４５      ヘッドレスト取り付け部１
５０、５０’    シートフレーム２、３
６０、６０’    シートクッションフレーム２、３
６１、６２      サイドフレーム１
６１’、６２’  サイドフレーム２
７０            シートバックフレーム２
７１、７２      サイドプレート２
７３            シートバックメインフレーム２
７４、７５      ヘッドレスト取り付け部２
８０、８１      リクライニング機構２
９０、９１      ロア部材
９２、９３      アッパ部材
１００          上端
１０１          前端
１０２          下端
１０３          後端
１０４          後縁
１０５          上縁
１０６          下縁
１０７          凹部の稜線
１１０          対向するサイドフレーム側の反対側の面
１１１          対向するサイドフレーム側の面
１２０          サイドフレームの後端部
【図１】
2013132917.tif 000003
【図２】
2013132917.tif 000004
【図３】
2013132917.tif 000005
【図４】
2013132917.tif 000006
【図５】
2013132917.tif 000007
【図６】
2013132917.tif 000008
【図７】
2013132917.tif 000009
【図８】
2013132917.tif 000010
【図９】
2013132917.tif 000011
【図１０】
2013132917.tif 000012
【図１１】
2013132917.tif 000013